(57)【要約】      （修正有）【課題】身に着ける装身具において、宝石や貴金属素材と言った固定できるものでなくては使用できないという部材の概念を取り払い、液体というこれまで装身具には使用されてこなかった動的要素を取り入れた素材を装身具内に使用することによって、視覚的にもデザイン的にも楽しめる装身具を提供する。【解決手段】装身具本体枠に透明ガラス複数枚と宝石４や貴金属部材３を用い、さらには食用色素と言う安全な着色剤を使用した精製水６に食塩を適当量混合することによって、低温や高温にも耐えられる動的要素を装身具に多分に取り入れ、安全で、安心して装着できる装身具１０とする。【選択図】図１
2018183548.tif 000002
【特許請求の範囲】
【請求項１】
身に着ける装身具において、金属製もしくは貴金属製の本体枠に透明ガラスを挿入、固定した後、透明ガラス上に宝石や装飾部材を固定せず配置し、さらに食用色素を用いて着色した精製水に食塩を１５％から飽和食塩水となる量を配合したものを透明ガラス上に必要量載せ、別の透明ガラスでそれらを封入し、透明ガラスを固定することによってなる、色のついた液体と宝石、装飾部材などが自由に動くことができる装身具。
【請求項２】
透明ガラスがサファイヤガラスである請求項１に記載の装身具。
【請求項３】
透明ガラス部分が、透明樹脂である請求項１に記載の装身具。
【請求項４】
透明ガラス部分が、天然宝石もしくは人工宝石である、請求項１に記載の装身具。
【請求項５】
宝石が天然及び人工である請求項１に記載の装身具。
【発明の詳細な説明】
【技術分野】
【０００１】
この発明は、身に着ける装身具において、そのデザイン性を高め、装身具全体に動きのある機能を持ち合わせた装身具に関するものである。
【背景技術】
【０００２】
一般的な装身具は、貴金属素材に宝石などを固定し、必要に応じて丸環などで連結をする、視覚的、感覚的な大義では静的なデザイン構造のものが多い。
【０００３】
これは、貴金属素材や宝石と言った限られた部材から出来上がる装身具では、部材の特性上、如何にもし難い問題であるからである。
【０００４】
しかしながら、多様化する宝飾製品市場においては、宝石が身体振動で揺れ続ける製品に見られるように、動的で美しく、かつ機能的にもデザイン的にも優れた製品が求められるようになってきている。
【０００５】
特開２０１６−７３０７のように、液体を利用した動的な装身具を提供する内容もあるが、動的な部分の材料として用いられる液体の安全性や特殊環境下での諸問題から、身に着ける装身具としての問題解決には至っていない。
【先行技術文献】
【特許文献】
【０００６】
【特許文献１】特開２０１６−７３０７
【発明の概要】
【発明が解決しようとする課題】
【０００７】
この発明は前述した問題点を解決するものであり、装身具に液体を使用しながらも、安全で特殊環境下でも使用に耐えうる装身具を提供するものである。
【課題を解決するための手段】
【０００８】
以上の課題を解決するため、この発明では、本体を構成する貴金属製の枠と、１枚、もしくは複数枚の透明なガラス、宝石や貴金属部品、さらに動的な部分を演出する液体に、人体に無害で、低温や高温といった特殊環境下でも変質しないものを使用して成り立ち、前述した問題を解決できるようにした。
【０００９】
この発明は、装身具に使用する液体が人体に無害で、特殊環境下でも変質しないため、安心して装身具を使用できるものである。
【００１０】
また、この発明は、液体にさまざまな色の着色も可能なので、動的な液体という部材だけでなく、色というバリエーションをも展開できる。
【発明の効果】
【００１１】
この発明によれば、装身具の部材に液体という動的な要素を用いるので、装身具の装着者の動きに合わせて液体が流動し、また、液体に入れた宝石や貴金属部材が安定することなく動き、視覚的にも楽しめる装身具の提供ができるようになった。
【図面の簡単な説明】
【００１２】
【図１】この発明の完成図である。
【００１３】
【図２】この発明の分解図である。
【発明を実施するための形態】
【００１４】
図１は、本発明の形態で、宝石と貴金属部材を2枚のガラスで閉じ込め、さらに色のついた液体を用いて成る装身具１０である。
【００１５】
本発明は、図２に示すように、本体枠５、透明ガラス１ａ、１ｂ、貴金属部材３、宝石４、色のついた液体６から構成される。
【００１６】
［実施例１］
まず、装身具の全体像を構成し、貴金属製本体枠のデザインを、透明ガラスや宝石、貴金属部材、色のついた液体が入るスペースを考慮して行う。
【００１７】
デザインを終えた貴金属製本体枠は、３Ｄプリンター等を使用して原型製作し、量産ができるようにゴム型を製作しておく。
【００１８】
前述で製作したゴム型から取り出した、ワックス形状は、ロストワックス製法で貴金属の素材にし、必要箇所の調整、研磨、部品接合などを行う。
【００１９】
次に、本発明の装身具に正面側となる透明ガラス１ａを挿入し、透明に近い弾性のある接着剤もしくはシーリング材で所定の箇所で固定し、さらにガラス１aの周囲の貴金属地金に圧力を与えて、完全にガラスを固定する。
【００２０】
次に、透明ガラス１ａの裏側となる部分、すなわち本体枠の内側部分方向より、宝石４や貴金属部材３を一つずつ置いていく。
【００２１】
宝石や装飾物の設置がすべて終わった後に、色のついた液体６を必要量入れる。
【００２２】
色のついた液体６は、人体に無害であり、さらに低温でも凍結しないものある必要があり、さらには高温でも変質しないものでなくてはならない。
【００２３】
色のついた液体６は、精製水をベースにして、凍結させない目的で食塩を全体重量の１５％から飽和食塩水となりうる量を適宜入れ混合させる。
【００２４】
また、色のついた液体６の着色は、食用色素を用いることによって、万が一の破損時に人体に接種されても害のないものとした。
【００２５】
上述の内容によって出来上がった、色のついた液体６は、摂氏マイナス１３℃の環境下に１２時間置いても凍結をすることはなく、摂氏７０℃の環境下に１時間以上置いても変質することはなかった。
【００２６】
このように、安全な色のついた液体６を使用し、組立が終了したら、ガラスの固定に使用した接着剤もしくはシーリング材が完全硬化するのを待ち、最終的な研磨やはみ出した接着剤の切除、また、メッキなどを施して本発明の完成品となる。
【００２７】
完成した本発明品は、さらに、摂氏マイナス１３℃の冷凍庫に１２時間入れ、色のついた液体が凍結しないことを確認する。
【００２８】
そして、完成した本発明品は、摂氏７０℃の加温器に１時間以上入れて、製品に破損や変質が起きないことを確認して、市場に出荷可能な装身具として完成する。
【００２９】
完成した装身具１０は、首に付けるネックレスとしてさらに加工し、実際に装着してみると、色のついた液体６が揺れ動き、さらに宝石４や貴金属部材３も揺れ動く、動的な機能を備えた斬新な装身具となった。
【産業上の利用可能性】
【００３０】
この発明の装身具は、従来の装身具のように、部材同士を固定して完成品となる装身具と異なり、色のついた液体を使用して動的な装身具とすることができたので、視覚的にも機能的にも付加価値の高い装身具を提供することが可能となった。
【符号の説明】
【００３１】
１ａ  透明ガラス
１ｂ  透明ガラス
３    貴金属部材
４    宝石
５    本体枠
６    色のついた液体
１０  装身具全体
【図１】
2018183548.tif 000003
【図２】
2018183548.tif 000004